(57)【要約】【課題】従来よりも効率的にリブ組織を有する筒状部を編成することができる編地の編成方法を提供する。【解決手段】第一給糸口８と第二給糸口９とが、針床ＦＢ，ＢＢに係止される筒状部１を挟む位置に配置された状態から、下記工程α〜工程δを行なう。一方の針床（ＦＢ）に係止される一側編地部１Ｆの編目を、目移しによってＦＢと他方の針床（ＢＢ）に配置する（工程α）。第一給糸口８を第二給糸口９の側に移動させ、一側編地部１Ｆにリブ組織を編成する（工程β）。第二給糸口９を第一給糸口８から離れる側に移動させ、一側編地部１Ｆにリブ組織を編成する（工程γ）。工程γで編成した一側編地部１Ｆのリブ組織のうち、ＢＢに係止されている編目をＦＢに目移しする（工程δ）。【選択図】図１
2014009419.tif 000002
【特許請求の範囲】
【請求項１】
少なくとも前後一対の針床と、各針床の編針に編糸を給糸する第一給糸口および第二給糸口を備え、前後の針床間で編目の目移しが可能な横編機を用い、一側編地部と他側編地部とを備える筒状部の少なくとも一部にリブ組織を編成する編地の編成方法において、
前記第一給糸口と前記第二給糸口とが、針床に係止される前記筒状部を挟む位置に配置された状態から、
一方の針床に係止される前記一側編地部の編目を、目移しによって前記一方の針床と他方の針床に配置する工程αと、
前記第一給糸口を前記第二給糸口の側に移動させ、前記一側編地部にリブ組織を編成する工程βと、
前記第二給糸口を前記第一給糸口から離れる側に移動させ、前記一側編地部にリブ組織を編成する工程γと、
前記工程γで編成した前記一側編地部のリブ組織のうち、前記他方の針床に係止されている編目を前記一方の針床に目移しする工程δと、
を行なうことを特徴とする編地の編成方法。
【請求項２】
前記他方の針床に係止される前記他側編地部にリブ組織を編成する際も、前記工程α〜工程δと同様の編成を行なうことを特徴とする請求項１に記載の編地の編成方法。
【請求項３】
前記一側編地部について工程α〜工程δを行なうことと、前記他側編地部について工程α〜工程δを行なうことと、を繰り返し、
その繰り返しの際、
ｎ回目の前記一側編地部の工程δと、ｎ回目の前記他側編地部の工程αと、を同時に行ない、かつ
ｎ回目の前記他側編地部の工程δと、ｎ＋１回目の前記一側編地部の工程αと、を同時に行なうことを特徴とする請求項２に記載の編地の編成方法。
但し、ｎは１以上の自然数とする。
【発明の詳細な説明】
【技術分野】
【０００１】
本発明は、リブ組織を有する筒状部を備える編地の編成方法に関する。
【背景技術】
【０００２】
横編機を用いて、編地に備わる筒状部に種々の組織柄を編成することが行なわれている。例えば、特許文献１には、筒状部の一側編地部と他側編地部にリブ組織を編成する技術が開示されている。
【０００３】
図２は、筒状部１の両編地部１Ｆ，１Ｂにリブ組織を編成するための代表的な編地の編成方法に係る編成工程図である。図２の左欄の『アルファベット＋数字』は編成工程の番号を、中欄は各編成工程における針床の編成状態を示す。また、右欄の矢印は各編成工程におけるキャリッジの移動方向を示し、『Ｔ』が付く矢印はキャリッジの移動に伴い目移しを行なうことを、『Ｋ』が付く矢印はキャリッジの移動に伴いニットすることを示す。なお、この編成工程は、一回のキャリッジの移動により編成（ニット・タック・ミス）もしくは目移しのいずれかを編針に行なわせることができる複合カムシステムを一つだけ用いた編成工程である。
【０００４】
図２のＴ０には、一方の針床（以下、ＦＢ）に一側編地部１Ｆの編目が係止され、他方の針床（以下、ＢＢ）に他側編地部１Ｂの編目が係止された状態が示されている。この状態から一側編地部１Ｆにリブ組織を編成するには、一側編地部１Ｆの一部の編目をＦＢからＢＢに目移しし（Ｔ１）、給糸口７を移動させて一側編地部１Ｆを一段分編成し（Ｔ２）、その後、一側編地部１Ｆの編目のうちＢＢにある編目をＦＢに目移しする（Ｔ３）。他側編地部１Ｂについても同様に、事前の目移し（Ｔ４）、他側編地部１Ｂのリブ組織の編成（Ｔ５）、編成後の目移し（Ｔ６）を行なう。
【先行技術文献】
【特許文献】
【０００５】
【特許文献１】特開２００３−７３９６１号公報
【発明の概要】
【発明が解決しようとする課題】
【０００６】
近年、ファッションの多様化により、リブ組織を有する筒状部をより効率的に編成する編地の編成方法が求められている。これに対して、図２に示す従来の方法では、キャリッジの移動が、一側編地部１Ｆにリブ組織を形成するために三回、他側編地部１Ｂにリブ組織を編成するために三回、つまり筒状部１を一段分編成するために合計六回必要であった。
【０００７】
本発明は、上記事情に鑑みてなされたものであり、その目的は、従来よりも効率的にリブ組織を有する筒状部を編成することができる編地の編成方法を提供することにある。
【課題を解決するための手段】
【０００８】
本発明者は、上記課題を鋭意検討した結果、横編機に備わる給糸口を複数用いることに想到し、本発明を完成させた。以下に本発明を規定する。
【０００９】
本発明は、少なくとも前後一対の針床と、各針床の編針に編糸を給糸する第一給糸口および第二給糸口を備え、前後の針床間で編目の目移しが可能な横編機を用い、一側編地部と他側編地部とを備える筒状部の少なくとも一部にリブ組織を編成する編地の編成方法に係る。この本発明の編地の編成方法では、第一給糸口と第二給糸口とが、針床に係止される筒状部を挟む位置に配置された状態から、下記工程α〜工程δを行なうことを特徴とする。
［工程α］…一方の針床に係止される一側編地部の編目を、目移しによって一方の針床と他方の針床に配置する。
［工程β］…第一給糸口を第二給糸口の側に移動させ、一側編地部にリブ組織を編成する。
［工程γ］…第二給糸口を第一給糸口から離れる側に移動させ、一側編地部にリブ組織を編成する。
［工程δ］…工程γで編成した一側編地部のリブ組織のうち、他方の針床に係止されている編目を一方の針床に目移しする。
【００１０】
本発明の編地の編成方法の一形態として、他方の針床に係止される他側編地部にリブ組織を編成する際も、工程α〜工程δと同様の編成を行なう形態を挙げることができる。なお、他側編地部の工程α〜工程δは、一側編地部の工程α〜工程δにおける『一側編地部』、『一方の針床』、および『他方の針床』をそれぞれ、『他側編地部』、『他方の針床』、および『一方の針床』に読み替えれば良い。
【００１１】
本発明の編地の編成方法の一形態として、一側編地部について工程α〜工程δを行なうことと、他側編地部について工程α〜工程δを行なうことと、を繰り返す形態を挙げることができる。その場合、ｎ回目の一側編地部の工程δとｎ回目の他側編地部の工程αとを同時に行ない、かつｎ回目の他側編地部の工程δとｎ＋１回目の一側編地部の工程αとを同時に行なう。但し、ｎは１以上の自然数である。
【発明の効果】
【００１２】
本発明の編地の編成方法によれば、従来の編地の編成方法よりも効率良く筒状部にリブ組織を編成することができる。例えば、後述する実施形態１に示すように、一つの複合カムシステムを用いて本発明の編地の編成方法を実施する場合、工程α〜工程δはそれぞれ、キャリッジの一回の移動で行なうことができる操作に対応する。つまり、本発明の編地の編成方法では、四回のキャリッジの移動で一側編地部を二段分編成できることになる。一方、図２に示す従来の編地の編成方法では、三回のキャリッジの移動で一側編地部を一段分編成しており、二段分の一側編地部を編成するには六回のキャリッジの移動が必要となる。このように、本発明の編地の編成方法は、従来の編地の編成方法に比べてキャリッジの移動回数（即ち、編成工程数）が少なく、従来の編地の編成方法よりも効率的にリブ組織を有する筒状部を編成できる。
【００１３】
一側編地部のリブ組織の編成に加え他側編地部のリブ組織の編成も工程α〜工程δに従って行なうことで、一側編地部と他側編地部の両方にリブ組織が形成された筒状部を従来方法よりも効率的に編成することができる。
【００１４】
両編地部の工程αと工程δを、キャリッジの一回の移動で同時に行なうことで、後述する実施形態に示すように、合計六回のキャリッジの移動で一側編地部と他側編地部を二段分ずつ編成することができる。
【図面の簡単な説明】
【００１５】
【図１】実施形態に係るリブ組織を有する筒状部の編成工程図である。
【図２】従来技術に係るリブ組織を有する筒状部の編成工程図である。
【発明を実施するための形態】
【００１６】
以下、本発明の編地の編成方法に係る実施形態を説明する。実施形態では、左右方向に延び、かつ前後方向に互いに対向する一方の針床（以下、ＦＢ）と他方の針床（以下、ＢＢ）と、少なくとも二つの給糸口とを備え、ＦＢとＢＢとの間で編目の目移しが可能な２枚ベッド横編機を用いた編成例を説明する。
【００１７】
＜実施形態１＞
実施形態１では、一つの複合カムシステムを用いた本発明の編地の編成方法を図１に基づいて説明する。図１の見方は、従来の編地の編成方法の説明に用いた図２と同様である。
【００１８】
図１のＳ０には、ＦＢの編針Ａ，Ｃ，Ｅ，Ｇ，Ｉに筒状部１の一側編地部１Ｆが係止され、ＢＢの編針Ｂ，Ｄ，Ｆ，Ｈ，Ｊに筒状部１の他側編地部１Ｂが係止された状態が示されている。このとき、筒状部１を挟んで紙面左側に第一給糸口８が、紙面右側に第二給糸口９が配置されている。また、図示していないが、キャリッジは紙面右側にある。
【００１９】
Ｓ１では、キャリッジを左方向に移動させ、ＦＢの編針Ｃ，Ｇに係止される一側編地部１Ｆの編目をＢＢに目移しする（一側編地部１Ｆの工程α）。なお、Ｓ１で行なう編目の目移しは、一側編地部１Ｆの編幅方向の全幅にわたって１×１リブ組織を編成するためのものである。目移しする編目を変更することで、一側編地部１Ｆに編成するリブ組織を、１×１リブ組織以外のリブ組織（少なくとも裏目を１目含み、表目と組み合わせた組織）にすることもできる。もちろん、一側編地部１Ｆの編幅方向の一部にのみリブ組織を編成することも可能である。
【００２０】
Ｓ２では、キャリッジを右方向に移動させ、第一給糸口８からＦＢの編針Ａ，Ｅ，ＩとＢＢの編針Ｃ，Ｇに交互に編糸を給糸することで、リブ組織からなる一側編地部１Ｆを編成する（一側編地部１Ｆの工程β）。このＳ２により第一給糸口８は第二給糸口９の側（右側）に移動される。
【００２１】
Ｓ３では、キャリッジを左方向に移動させ、第二給糸口９からＦＢの編針Ａ，Ｅ，ＩとＢＢの編針Ｃ，Ｇに交互に編糸を給糸することで、リブ組織からなる一側編地部１Ｆを編成する（一側編地部１Ｆの工程γ）。このＳ３により第二給糸口９は第一給糸口８から離れる側（左側）に移動される。
【００２２】
Ｓ４では、キャリッジを右方向に移動させ、Ｓ３においてＢＢの編針Ｃ，Ｇに形成された一側編地部１Ｆのリブ組織の編目をＦＢの編針Ｃ，Ｇに目移しする（一側編地部１Ｆの工程δ）。また、Ｓ４では、他側編地部１Ｂの編目のうち、ＢＢの編針Ｂ，Ｆ，Ｊに係止される編目をＦＢの編針Ｂ，Ｆ，Ｊに目移しする（他側編地部１Ｂの工程α）。なお、Ｓ４で目移しする他側編地部１Ｂの編目は、Ｓ１の一側編地部１Ｆと同様に、他側編地部１Ｂに形成するリブ組織に応じて適宜変更することができる。
【００２３】
Ｓ５では、キャリッジを左方向に移動させ、第一給糸口８からＦＢの編針Ｂ，Ｆ，ＪとＢＢの編針Ｄ，Ｈに交互に編糸を給糸することで、リブ組織からなる他側編地部１Ｂを編成する（他側編地部１Ｂの工程β）。このＳ５により第一給糸口８は第二給糸口９の側（左側）に移動される。
【００２４】
Ｓ６では、キャリッジを右方向に移動させ、第二給糸口９からＦＢの編針Ｂ，Ｆ，ＪとＢＢの編針Ｄ，Ｈに交互に編糸を給糸することで、リブ組織からなる他側編地部１Ｂを編成する（他側編地部１Ｂの工程γ）。このＳ６により第二給糸口９は第一給糸口８から離れる側（右側）に移動される。
【００２５】
以降、Ｓ１〜Ｓ６を繰り返すことで、リブ組織を有する筒状部を備える編地を編成することができる。但し、ｎ＋１回目（ｎは１以上の自然数）のＳ２（一側編地部１Ｆの工程β）を行なう前に、ｎ回目のＳ６（他側編地部１Ｂの工程δ）で編成した他側編地部１Ｂの編目のうち、ＦＢに係止される編目をＢＢに目移ししておかなければならない。その他側編地部１Ｂの編目の目移しは、ｎ回目のＳ１で一側編地部１Ｆの目移し（一側編地部１Ｆの工程α）と同時に行なうと良い。
【００２６】
以上説明した編成工程に従えば、六回のキャリッジの移動により一側編地部１Ｆと他側編地部１Ｂを二段分ずつ編成することができる。このことは、図２を参照する従来の編地の編成方法が六回のキャリッジの移動により一側編地部１Ｆと他側編地部１Ｂを一段分ずつしか編成できないことに比べて格段に効率的である。
【００２７】
＜その他＞
実施形態１では、一つの筒状部についてリブ組織を編成する編成例を説明したが、複数の筒状部を備える編地にも本発明の編地の編成方法を適用することができる。その場合、各筒状部に対して二つずつ給糸口を割り当てて本発明の編地の編成方法を実施すれば良い。例えば、例えばセーターの身頃、右袖、および左袖のそれぞれに対して本発明の編地の編成方法を実施する場合、使用する給糸口は合計で少なくとも６つである。
【符号の説明】
【００２８】
１  筒状部
１Ｆ  一側編地部  １Ｂ  他側編地部
７  給糸口
８  第一給糸口  ９  第二給糸口
【図１】
2014009419.tif 000003
【図２】
2014009419.tif 000004